【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】
複数の照明効果を表わす情報を表示するように適合された表示インタフェース（１５、３００、４００、５００）を設けることによって照明シークエンスを設計または生成するように構成されたプロセッサ（１０）と、
ユーザが照明効果、該照明効果を実行する少なくとも１個の照明ユニット、照明効果を開始時間、および照明効果の停止時間を選択することを可能にするように適合されたシークエンス・オーサリング・インタフェース（３１０、３２０、４２０、５２０、５２５）とを含む、照明シークエンス（２０）を作成するシステムであって、
前記表示インタフェースは、グリッドを表示するように適合されており、前記照明ユニットは前記グリッドの一軸に沿って表わされ、時間は前記グリッドの第２の軸に沿って表わされること、および
前記表示インタフェースは、選択された照明効果に関連する、前記照明ユニット、前記開始時間、および前記停止時間によって定義される前記グリッドの領域上に前記選択された照明効果を視覚的に表わすように適合されていることを特徴とする、前記システム。
【請求項２】
シークエンス・オーサリング・インタフェースは、複数の照明ユニットの配設を表わす情報を受け取るように適合されているとともに、表示インタフェースは、前記受け取った情報に基づいて、前記複数の照明ユニットの配設の表現を視覚的に表示するように適合されている、請求項１に記載のシステム。
【請求項３】
表示インタフェースは、ユーザによって生成される照明シークエンスを再生成するように適合されている、請求項１または２に記載のシステム。
【請求項４】
照明ユニットは複数の照明ユニットの１つであるとともに、各照明ユニットは固有のアドレスと関連している、請求項１、２、または３に記載のシステム。
【請求項５】
前記照明ユニットは、ある範囲の異なる色のいずれかの光を放出することのできるＬＥＤ照明ユニットを含む、請求項１〜４のいずれかに記載のシステム。
【請求項６】
ユーザ選択を記憶するように適合された記憶媒体をさらに含む、請求項１〜５のいずれかに記載のシステム。
【請求項７】
シークエンス・オーサリング・インタフェース（５００）は、選択された照明効果のための色（５５２）をユーザが選択することを可能にするように適合されている、請求項１〜６のいずれかに記載のシステム。
【請求項８】
シークエンス・オーサリング・インタフェース（５００）は、選択された照明効果のための開始色と停止色とをユーザが選択することを可能にするように適合されている、請求項１〜７のいずれかに記載のシステム。
【請求項９】
シークエンス・オーサリング・インタフェースは、第１の照明効果と第２の照明効果との間の遷移に対する遷移効果をユーザが選択することを可能にするように適合されている、請求項１〜８のいずれかに記載のシステム。
【請求項１０】
シークエンス・オーサリング・インタフェースは、第２の照明効果と時間的重複を共有する第１の照明効果に対する優先順位をユーザが決定することを可能にするように適合されている、請求項１〜８のいずれかに記載のシステム。
【請求項１１】
シークエンス・オーサリング・インタフェースは、選択された照明効果に対する明るさをユーザが決定することを可能にするように適合されている、請求項１〜１０のいずれかに記載のシステム。
【請求項１２】
シークエンス・オーサリング・インタフェースは、外部刺激に基づいて、選択された照明効果を開始させる命令をユーザが出すことを可能にするように適合されている、請求項１〜１１のいずれかに記載のシステム。
【請求項１３】
シークエンス・オーサリング・インタフェースは、照明ユニットの動きをユーザが決定することを可能にするように適合されている、請求項１〜１２のいずれかに記載のシステム。
【請求項１４】
シークエンス・オーサリング・インタフェースは、少なくとも１つのユーザ構成照明効果をユーザが設計することを可能にするように適合されている、請求項１〜１３のいずれかに記載のシステム。
【請求項１５】
少なくとも１つの照明ユニットを制御するように、照明シークエンスを実行するように適合された制御器（３０）をさらに含む、請求項１〜１４のいずれかに記載のシステム。
【請求項１６】
制御器は、少なくとも１つの照明ユニットを直接制御することのできるデータストリームを表わすデータフォーマットで照明シークエンスを記憶する、少なくとも１つの記憶媒体（６２０）を含む、請求項１５に記載のシステム。
【請求項１７】
制御器（３０）によって実行することのできる照明シークエンス（２０）を作成する方法において、
複数の照明効果を表わす情報を表示するステップと、
前記表示された情報に基づいて照明シークエンスのための照明効果を選択するステップと、
前記照明効果を実行するための少なくとも１個の照明ユニットを選択するステップと、
前記選択された照明効果に対する開始時間を選択するステップと、
前記選択された照明効果に対する停止時間を選択するステップとを含む方法であって、
グリッドをさらに表示し、前記照明ユニットは、前記グリッドの一軸に沿って表わされ、時間は前記グリッドの第２の軸に沿って表わされること、および
前記選択された照明効果と関連する、前記照明ユニット、前記開始時間および前記停止時間によって定義されるグリッドの領域上に、前記選択された照明効果をさらに視覚的に表わすことを特徴とする、前記方法。
【請求項１８】
複数の照明ユニットの配設を表わす情報を受け取ること、および
前記受け取った情報に基づいて、前記複数の照明ユニットの配設の表現を表示することをさらに含む、請求項１７に記載の方法。
【請求項１９】
選択された照明効果を視覚的に表わすことをさらに含む、請求項１７または１８に記載の方法。
【請求項２０】
第２の照明ユニットを選択すること、および
前記第２の照明ユニットによって実行するための照明効果を選択することをさらに含む、請求項１７〜１９のいずれかに記載の方法。
【請求項２１】
ユーザ選択を電子記憶媒体に記憶することをさらに含む、請求項１７〜２０のいずれかに記載の方法。
【請求項２２】
選択された照明効果のために、少なくとも１つの色を選択することをさらに含む、請求項１７〜２１のいずれかに記載の方法。
【請求項２３】
表示された情報に基づいて照明シークエンスの第２の照明効果を選択すること、前記第２の照明効果のための開始時間を選択すること、および前記第２の照明効果のための停止時間を選択することをさらに含む、請求項１７〜１９のいずれかに記載の方法。
【請求項２４】
選択された照明効果と第２の照明効果との間の遷移効果を選択することをさらに含む、請求項２３に記載の方法。
【請求項２５】
複数の選択された照明効果に対する優先順位を決定することをさらに含む、請求項２０、２３または２４に記載の方法。
【請求項２６】
選択された照明効果のための明るさを選択することをさらに含む、請求項１７〜２５のいずれかに記載の方法。
【請求項２７】
照明ユニットを選択することは、選択された照明効果を実行するための複数の照明ユニットを選択することを含む、請求項１７〜２６のいずれかに記載の方法。
【請求項２８】
照明ユニットを選択することは、ある範囲の色のいずれかの光を放出することのできるＬＥＤ照明ユニットを選択することを含む、請求項１７〜２７のいずれかに記載の方法。
【請求項２９】
開始時間を選択することは、外部刺激に基づいて、選択された照明効果を開始する命令を出すことを含む、請求項１７〜２８のいずれかに記載の方法。
【請求項３０】
各照明ユニットが固有のアドレスに関連づけられている、請求項１８〜２９のいずれかに記載の方法。
【請求項３１】
選択された照明ユニットの動きを指定することをさらに含む、請求項１７〜３０のいずれかに記載の方法。
【請求項３２】
少なくとも１つの照明ユニット制御するように、照明シークエンスを実行することをさらに含む、請求項１７〜３１のいずれかに記載の方法。
【請求項３３】
少なくとも１つの照明ユニットを直接的に制御することのできるデータストリームを表わすデータフォーマットで、照明シークエンスを記憶することをさらに含む、請求項１７〜３２のいずれかに記載の方法。
【請求項３４】
実行されると、請求項１７〜３３のいずれかに記載の方法を実施する、少なくとも１つのプログラムでコード化された、コンピュータ可読媒体。